(57)【要約】【課題】  本発明はサーフボードのような幅広、長尺かつ重量物用の運搬を棒と肩紐により手軽に横抱き状態で、かつ、物品による荷重を分散支持できるようにする運搬補助具に関するものである。【解決手段】  搬送対象物の長さに対して適当な長さを有する棒と、棒の両端につながる肩紐を設け、棒を持った手と肩に掛けた肩紐を手と体の間でたるませ、そのたるみ部分に物品を乗せて運搬することを特徴とする運搬補助具。【選択図】図１
2010063864.tif 000002
【特許請求の範囲】
【請求項１】
握り棒とその両端につながる肩紐を設け、握り棒を持った手と肩に掛けた肩紐を手と体の間でたるませ、そのたるみ部に物品を乗せて運搬することを特徴とする運搬補助具。
【請求項２】
握り棒の両端に柔軟な緩衝材を取付けた請求項１の運搬補助具。
【請求項３】
握り棒の両端に棒よりも外径の大きい柔軟な緩衝材を取付けた請求項１の運搬補助具。
【請求項４】
肩紐のたるみ部に網あるいはシートを張った請求項１の運搬補助具。
【請求項５】
肩紐のたるみ部に握り棒に対し平行な補助棒を設けた、請求項１の運搬補助具。
【発明の詳細な説明】
【技術分野】
【０００１】  本発明は、例えばサーフボードのような幅広、長尺かつ重量物用の運搬を握り棒（１）と肩紐（３）により物品による荷重を分散支持し、手軽に横抱き状態で運搬するための運搬補助具に関するものである。
【背景技術】
【０００２】  従来、サーフボードのような幅広、長尺かつ重量物の手運搬補助具としては、肩に掛けてサーフボードを手軽にズレ動くことなく横抱き状態で支持できるようにするために、展開状態において左右横長になるシート本体と、シート本体の左右端に付設した肩掛け用の吊バンドとからなるボードキャリアの発明が知られている。（特許文献１）。
【特許文献１】特許公開２００３−２４５１１２
【発明の開示】
【発明が解決しようとする課題】
【０００３】それには次のような問題点があった。
（イ）片肩で搬送物重量を持ち上げるので片肩にかかる作業負荷が高い。
（ロ）物品を安定して運搬するには物品の重心が肩紐の両端から下ろした２本の鉛直線の間にある必要があるが、柔軟なシートと肩紐による構成なので、運搬物の重量により発生する、肩紐をかけた肩を中心とし肩紐両側のはさみ角が小さくなる方向のモーメントに対して抵抗できず、運搬対象物の重量支持幅が小さくなる方向にシートのずれが発生し、支持幅が狭くなることで運搬中の運搬対象物の重心移動範囲に対応できなくなり、バランスをくずしやすくなり、運搬物を落としたり怪我をする恐れがあった。
本発明は、以上の問題点を解決するためのものである。
【課題を解決するための手段】
【０００４】・握り棒（１）とその両端につながる肩紐（３）を設け、握り棒（１）を持った手と肩に掛けた肩紐（３）を手と体の間でたるませ、そのたるみ部（４）に物品を乗せて運搬することを特徴とする運搬補助具。
・握り棒（１）の両端に柔軟な緩衝材（２）を取付けた運搬補助具。
・握り棒（１）の両端に棒よりも外径の大きい柔軟な緩衝材（２）を取付けた運搬補助具。【０００５】・肩紐（３）のたるみ部（４）にネット（８）あるいはシート（９）を張った運搬補助具。
・肩紐（３）のたるみ部（４）に手段１の握り棒（１）に対し平行な補助棒（１０）を設けた運搬補助具。
【発明の効果】
【０００６】・運搬作業者は肩紐（３）を肩（例：左肩）に掛け、握り棒（１）を肩紐（３）をかけた肩と反対の手（例：右手）で持ち、肩紐（３）のたるみ部（４）に運搬対象物を横抱き状態で支持する。これにより運搬対象物の重量が肩紐（３）をかける肩と握り棒（１）を持つ腕の２箇所に分散されるため、肩、腕それぞれにかかる局部的な負荷を低減できる。
・握り棒（１）により、運搬対象物を支持する間隔が握り棒（１）の長さと等しい一定の間隔に保たれるため、運搬対象物の搬送中に発生する重心移動が支持点の内側になるような握り棒（１）の長さとしておくことにより、作業者は容易にバランスを保つことができ、運搬作業負荷の軽減が図れるのと運搬物の落下を防止することができる。
・握り棒（１）の長さの効果により重心の目測誤差が棒の長さ以内であれば作業者は容易にバランスを保つことができ運搬作業負荷の軽減が図れるのと運搬物の落下を防止することができる。
・例えばサーフボードのように幅広の運搬対象物を運搬中は握り棒（１）が運搬対象物に近く、振動や風等により握り棒（１）と干渉することが考えられるが、棒両端の柔軟な緩衝材（２）により運搬対象物の傷つき防止ができる。
・緩衝材（２）を握り棒（１）より外径を大きくすることで、握り棒（１）を手で持った時に、握り棒（１）と運搬対象物の間に空間を確保することができ指が挟まれることを防止できる。
・たるみ部（３）に網（８）やシート（９）を張ることで、運搬対象物に対して握り棒（１）が長くても、運搬することができるようになる。
・運搬対象物が幅の広い物の場合、肩紐のたるみ部（４）の体側の幅が握り棒の幅より狭くなり重量支持点の幅が狭まり、バランスが不安定になることがあるが、運搬対象物よりも体に近い位置に補助棒（１０）を設けることで、重量支持幅を一定に保てるようになり、運搬時のバランスを保ちやすい。
【発明を実施するための最良の形態】
【０００７】以下、本発明の実施の形態について説明する。
本発明は、図１に示すように握り棒（１）と肩紐（３）、肩紐のたるみ部分（４）からなる。
（イ）例えばサーフボードを運搬する場合、握り棒（１）は、サーフボードの概略長さ１．６ｍから３ｍに対し３０ｃｍから１．５ｍの長さとする。握り棒（１）の長さは搬送対象物の荷重を支持する幅となるので、長いものを運搬する場合は長い握り棒（１）を選択し、短いものは短い握り棒（１）を選択する。
（ロ）握り棒（１）の断面形状は握りやすさと強度の為に丸あるいは多角形とする。
径は約１０ｍｍから約３０ｍｍ、軽さの為パイプ状のものとし、材質は金属、樹脂あるいは木材等で強度、耐腐食性と軽さを満足するものを選ぶ。
（ハ）運搬物と握り棒（１）の干渉による傷つき防止の為に、棒の両端にスポンジやゴム、発泡スチロールのような弾性材料による緩衝材（２）を取付ける。また、握り棒（１）を持つ際に指が握り棒（１）と運搬対象物の間に挟まれるのを防止するために、緩衝材（２）の外径と握り棒（１）の外径の差を設け、緩衝材（２）外径を大きくする。作業者は、両端に取付けられた２つの緩衝材（２）の間の握り棒（１）の部分を手で持つ。作業者は握り棒（１）の中心と運搬対象物の重心（長手方向）を合わせ、握り棒（１）の中心を持つのが基本だが、運搬対象物の重心がおおよそにしかわからないので、重心の目測誤差分だけ緩衝材（２）の無い握り棒（１）の部分を設ける。【０００８】（ニ）肩紐（３）は握り棒（１）の両端につながっている。握り棒（１）から出ている部分の肩紐（３）の長さの目安は、
作業者が肩紐を肩（例：左肩）に掛け、棒を肩紐をかけた肩と反対の手（例：右手）で持った時、棒の下側に運搬対象物の幅と高さの和のおよそ半分の長さ分だけたるみ（４）が出来ることである。長さは運搬作業者の体格と運搬対象物に合わせて調整する調整具（６）を具備すると使いやすい。
また、搬対象物は手に持った握り棒（１）の下側にできたたるみ部分（４）に乗せる。
（ホ）肩紐（３）は丸断面でも良いが、幅広のベルト状とすると肩へのくい込みが防止できる。また肩当（５）を設けるとさらに作業が楽になる。【０００９】（ヘ）肩紐（３）を握り棒（１）に固定する際、図５のようにパイプを貫通させるのが簡便であるが、棒の両端に図６のように穴や図７のようにスリットを設け、肩紐を固定してもよい。
この際は、結び目を設けたり、金具によって位置決め、抜け止めを行う。
（ト）肩紐（３）のたるみ部分（４）にシート（９）をはったり、網（８）をはったりすることで小さな運搬対象物を運搬することができる。
（チ）肩紐（３）のたるみ部分（４）にもう一本の補助棒（１０）を設けることで幅の広い運搬対象物でも支持点間隔が狭くならず、安定した運搬が可能となる。
このとき、棒と棒の間にシートあるいはネットをはってもよい。
【図面の簡単な説明】
【図１】本発明の構造図
【図２】本発明の使用状態を示す斜視図
【図３】本発明の使用状態を示す斜視図
【図４】本発明の使用状態を示す斜視図
【図５】握り棒をパイプとし肩紐を貫通させた斜視図
【図６】握り棒に穴をあけ肩紐を固定した斜視図
【図７】握り棒にスリットを設け肩紐を固定した斜視図
【図８】肩紐のたるみ部に網を張った本発明の構造図
【図９】肩紐のたるみ部にシートを張った本発明の構造図
【図１０】肩紐のたるみ部に補助棒を設けた本発明の構造図
【図１１】肩紐のたるみ部に補助棒とシートを設けた本発明の構造図
【符号の説明】
【０００８】  １  握り棒
２  緩衝材
３  肩紐
４  肩紐のたるみ部
５  肩当
６  肩紐長さ調整部
７  ずれ止め具
８  網
９  シート
１０  補助棒
１１  引き紐
【図１】
2010063864.tif 000003
【図２】
2010063864.tif 000004
【図３】
2010063864.tif 000005
【図４】
2010063864.tif 000006
【図５】
2010063864.tif 000007
【図６】
2010063864.tif 000008
【図７】
2010063864.tif 000009
【図８】
2010063864.tif 000010
【図９】
2010063864.tif 000011
【図１０】
2010063864.tif 000012
【図１１】
2010063864.tif 000013